(57)【要約】ゴルフパターのシャフトに着脱自在に結合される結合部材と、前記結合部材に結合され、ゴルフパッティングを補助するためのガイド光を放出するガイド光放出装置とを含み、前記結合部材は、上下側面及び一側面が開放され、開放された空間を通じてゴルフパターに着脱自在に結合される第１結合部材と、前記第１結合部材から延設されて上下側面が開放され、開放された空間に前記ガイド光放出装置を収容する第２結合部材とを含み、前記ガイド光放出装置は、ハウジング部と、前記ハウジング部の内部一側に位置し、前記ガイド光放出装置の動作のための電源を供給するバッテリー部と、前記供給された電源によってガイド光を放出する発光部と、発光モードを選択し、前記発光モードに対応する前記ガイド光を放出するように前記発光部を制御する制御部とを含み、前記ガイド光放出装置は、前記第２結合部材に形成された開放空間に着脱自在に結合され、上下方向に長く形成された円筒形状であり、前記第２結合部材の内側に組み入れられて回転可能である、ゴルフパター用補助装置が提供される。  【選択図】図１
2021512760.tif 000002
【特許請求の範囲】
【請求項１】
ゴルフパター用補助装置であって、
前記ゴルフパターのシャフトに着脱自在に結合される結合部材と、
前記結合部材に結合され、ゴルフパッティングを補助するためのガイド光を放出するガイド光放出装置とを含み、
前記結合部材は、
上下側面及び一側面が開放され、開放された空間を通じてゴルフパターに着脱自在に結合される第１結合部材と、
前記第１結合部材から延設されて上下側面が開放され、開放された空間に前記ガイド光放出装置を収容する第２結合部材とを含み、
前記ガイド光放出装置は、
ハウジング部と、
前記ハウジング部の内部一側に位置し、前記ガイド光放出装置の動作のための電源を供給するバッテリー部と、
前記供給された電源によってガイド光を放出する発光部と、
発光モードを選択し、前記発光モードに対応する前記ガイド光を放出するように前記発光部を制御する制御部とを含み、
前記ガイド光放出装置は、前記第２結合部材に形成された開放空間に着脱自在に結合され、上下方向に長く形成された円筒形状であり、前記第２結合部材の内側に組み入れられて回転可能である
ことを特徴とするゴルフパター用補助装置。
【請求項２】
前記ハウジング部は、第１直径を有するヘッド部と、前記第１直径より小さい第２直径を有する本体部とから構成され、
前記ヘッド部には前記ガイド光放出装置の動作を制御するためのボタンが外側に設けられ、
前記本体部の内側には前記発光部が形成され、
前記ボタンと前記発光部との間にはバッテリー部が位置する
請求項１に記載のゴルフパター用補助装置。
【請求項３】
前記ガイド光放出装置は、前記発光部に隣接して位置し、前記ガイド光を屈折させるレンズ部をさらに含む
請求項２に記載のゴルフパター用補助装置。
【請求項４】
前記制御部は、ユーザの入力に従って一字型発光モード、十字型発光モード、ポイント発光モードのうち一つの発光モードを選択し、選択された発光モードに対応するガイド光が放出されるように前記発光部を制御する
請求項３に記載のゴルフパター用補助装置。
【請求項５】
前記制御部は、前記ゴルフパター用補助装置と地面との間の距離に合わせて前記ガイド光のラインの長さが調節されるように前記発光部を制御する
請求項４に記載のゴルフパター用補助装置。
【請求項６】
前記ガイド光放出装置は、前記パターの諸元を保存する保存部をさらに含み、
前記制御部は、保存された前記パターの諸元に基づいて前記ガイド光の方向が調節されるように前記発光部を制御する
請求項２に記載のゴルフパター用補助装置。
【請求項７】
前記ガイド光放出装置は、ゴルフパッティング用映像を撮影する撮影部をさらに含み、
前記制御部は、撮影された前記映像に対応するスローモーション映像を生成して保存部に保存されるように制御する
請求項１に記載のゴルフパター用補助装置。
【発明の詳細な説明】
【技術分野】
【０００１】
本発明は、ゴルフパター用補助装置に関し、具体的には、ゴルフのパッティングをガイドする補助装置に関する。
【背景技術】
【０００２】
ゴルフで使用するゴルフクラブは、ゴルフボールを遠くホールの位置に飛ばすために用いるフェアウェイウッド（ｆａｉｗａｙ ｗｏｏｄ）３本と、ゴルフボールをホールカップに近い位置まで正確に飛ばすために用いるアイアン（ｉｒｏｎ）１０本、そしてホールカップの周辺でゴルフボールを転がして入れるパター（ｐｕｔｔｅｒ）１本から構成される。
【０００３】
ゴルファーは、これらゴルフクラブから状況に合わせてクラブを選択し、ゴルフボールを打撃する。ゴルフボールを打撃する動作は、フェアウェイウッドやアイアンを使用したアドレス、テークバック、バックスイング、トップ、ダウンスイング、インパクト、フォロースルー、フィニッシュにつながるスイング動作、及びパターを使用したアドレス、ストロークにつながるパッティング動作が大半を占める。
【０００４】
特に、パッティングする場合、ゴルファーはグリーンの傾斜度、芝目、そしてホールカップ付近のグリーンの曲がり程度、及びホールカップまでの距離と方向を細密に観察し、ホールカップまでのパッティングラインを描いた後、打撃の強さを適切に調節しながらゴルフボールを打撃する。
【０００５】
パッティングの際に考慮すべき要素の中では、ホールカップまでの距離と方向が最も重要であって、ゴルファーは訓練を繰り返すことで蓄積した経験に基づいてその距離及び方向を設定してパッティングする。すなわち、ホールカップまでの距離の判断が誤れば、打撃力が強すぎるか又は弱すぎて、ゴルフボールがホールカップを通り過ぎるか又はホールカップまで到達しないことになる。
また、方向の判断が誤れば、打撃力が正確であってもゴルフボールがホールカップから外れてしまう。
特に、ゴルフ初級者は、上記のようなパッティング条件のうち最も基本的なホールカップまでの方向と距離の判断に対して相当困難を感じる。
そこで、ホールカップまでの方向と距離の判断に役立つ補助装置が求められている。
【０００６】
また、ゴルフの理論上、ゴルフボールの中心がクラブのヘッド面と直交する位置で打撃すると最も高い効果が得られるが、目視でクラブのヘッド面がゴルフボールと直交して接触することを確認しながら打撃することは困難である。
【発明の概要】
【発明が解決しようとする課題】
【０００７】
上述した技術的課題の解決するため、本発明は、パターに組み合わせてパッティングに役立つガイド光を提供することを目的とする。
【課題を解決するための手段】
【０００８】
本発明は、ゴルフパターのシャフトに着脱自在に結合される結合部材と、前記結合部材に結合され、ゴルフパッティングを補助するためのガイド光を放出するガイド光放出装置とを含むゴルフパター用補助装置を提供する。
【０００９】
また、前記結合部材は、上下側面及び一側面が開放され、開放された空間を通じてゴルフパターに着脱自在に結合される第１結合部材と、前記第１結合部材から延設されて上下側面が開放され、開放された空間に前記ガイド光放出装置を収容する第２結合部材とを含むことができる。
【００１０】
また、前記ガイド光放出装置は、ハウジング部と、前記ハウジング部の内部一側に位置し、前記ガイド光放出装置の動作のための電源を供給するバッテリー部と、前記供給された電源によってガイド光を放出する発光部と、発光モードを選択し、前記発光モードに対応する前記ガイド光を放出するように前記発光部を制御する制御部とを含むことができる。
また、前記ガイド光放出装置は、前記第２結合部材に形成された開放空間に着脱自在に結合され、上下方向に長く形成された円筒形状であり得る。
また、前記ガイド光放出装置は、前記第２結合部材の内側に組み入れられた状態で回転することができる。
【００１１】
また、前記ハウジング部は、第１直径を有するヘッド部と、前記第１直径より小さい第２直径を有する本体部とから構成され、前記ヘッド部には前記ガイド光放出装置の動作を制御するためのボタンが外側に設けられ、前記本体部の内側には前記発光部が形成され、前記ボタンと前記発光部との間にはバッテリー部が位置することができる。
また、前記ガイド光放出装置は、前記発光部に隣接して位置し、前記ガイド光を屈折させるレンズ部をさらに含むことができる。
【００１２】
また、前記制御部は、ユーザの入力に従って一字型発光モード、十字型発光モード、ポイント発光モードのうち一つの発光モードを選択し、選択された発光モードに対応するガイド光が放出されるように、前記発光部を制御することができる。
【００１３】
また、前記制御部は、前記ゴルフパター用補助装置と地面との間の距離に合わせて前記ガイド光のラインの長さが調節されるように、前記発光部を制御することができる。
また、前記ガイド光放出装置は、前記パターの諸元を保存する保存部をさらに含むことができる。
また、前記制御部は、保存された前記パターの諸元に基づいて前記ガイド光の方向が調節されるように、前記発光部を制御することができる。
【００１４】
また、前記ガイド光放出装置は、ゴルフパッティング用映像を撮影する撮影部をさらに含み、前記制御部は、撮影された前記映像に対応するスローモーション映像を生成して保存部に保存されるように制御することができる。
【発明の効果】
【００１５】
本発明は、ガイド光を提供することで、パッティングに役立つ効果がある。
【００１６】
より具体的に、本発明は、ゴルフボールからホールカップまでの距離が示されるガイド光を提供することで、ユーザがゴルフボールからホールカップまでの距離を直観的に把握することができる。
【００１７】
また、本発明は、周辺の天気情報、ゴルフコースに関する情報、及びゴルフクラブの諸元のうち少なくとも一つ以上が考慮されたガイド光を提供することで、より正確なガイド光を提供することができる。
また、本発明は、ゴルフパッティング用映像を提供することで、ゴルフボールの進行方向及びパターヘッドの経路を綿密に確認することができる。
【図面の簡単な説明】
【００１８】
【図１】本発明の一実施形態によるゴルフパター用補助装置を示した例示図である。
【図２】本発明の一実施形態によるゴルフパター用補助装置の断面を示した例示図である。
【図３】本発明の一実施形態によるガイド光放出装置を示したブロック図である。
【図４】本発明の一実施形態によるガイド光放出装置のポイント発光モードを示した例示図である。
【図５】本発明の一実施形態によるガイド光放出装置の十字型発光モードを示した例示図である。
【図６】本発明の一実施形態によるガイド光放出装置を示した例示図である。
【図７】本発明の一実施形態によるガイド光放出装置を示した例示図である。
【図８】本発明の一実施形態によるガイド光放出装置を示した例示図である。
【発明を実施するための形態】
【００１９】
ゴルフパター用補助装置であって、
前記ゴルフパターのシャフトに着脱自在に結合される結合部材と、
前記結合部材に結合され、ゴルフパッティングを補助するためのガイド光を放出するガイド光放出装置とを含み、
前記結合部材は、
上下側面及び一側面が開放され、開放された空間を通じてゴルフパターに着脱自在に結合される第１結合部材と、
前記第１結合部材から延設されて上下側面が開放され、開放された空間に前記ガイド光放出装置を収容する第２結合部材とを含み、
前記ガイド光放出装置は、
ハウジング部と、
前記ハウジング部の内部一側に位置し、前記ガイド光放出装置の動作のための電源を供給するバッテリー部と、
前記供給された電源によってガイド光を放出する発光部と、
発光モードを選択し、前記発光モードに対応する前記ガイド光を放出するように前記発光部を制御する制御部とを含み、
前記ガイド光放出装置は、前記第２結合部材に形成された開放空間に着脱自在に結合され、上下方向に長く形成された円筒形状であり、前記第２結合部材の内側に組み入れられて回転可能であることを特徴とするゴルフパター用補助装置が提供される。
【００２０】
下記の内容は単に発明の原理を例示するものである。したがって、当業者は、本明細書に明示又は図示されていなくても、本発明の原理を具現して発明の概念と範囲に含まれる多様な装置を発明することができる。また、本明細書に列挙するあらゆる条件付き用語及び実施形態は、原則的に、発明の概念を理解するための目的のみで明確に意図され、このように列挙された実施形態及び状態によって制限されないことを理解しなければならない。
【００２１】
上述した目的、特徴及び長所は、添付された図面を参照した詳細な説明を通じてより明らかになるはずであり、それによって発明が属する技術分野で通常の知識を持つ者が発明の技術的思想を容易に実施できるであろう。
また、発明の説明において、関連公知技術についての具体的な説明が発明の要旨を不明瞭にし得ると判断される場合、その詳細な説明は省略する。以下、添付された図面を参照して本発明の望ましい実施形態を詳細に説明する。
【００２２】
図１は、本発明の一実施形態によるゴルフパター用補助装置１０を示した例示図である。
図２は、本発明の一実施形態によるゴルフパター用補助装置１０の断面を示した例示図である。
【００２３】
図１及び図２を参照すると、ゴルフパター用補助装置１０は、ゴルフパターのシャフトに着脱自在に結合される結合部材１００、及びガイド光放出装置２００から構成される。ガイド光放出装置２００は、結合部材１００と結合され、ゴルフパッティングを補助するためのガイド光を放出することができる。
【００２４】
結合部材１００は、上下側面及び一側面が開放された円筒型であって、開放された空間を通じてゴルフパターのシャフトに着脱自在に結合される第１結合部材１１０、及び第１結合部材１１０から延設されて上下側面が開放された円筒型であって、開放された空間にガイド光放出装置２００を収容する第２結合部材１２０を含むことができる。
【００２５】
ユーザが強い力を加えると、結合部材１００をシャフトに結合して回動させることができる。したがって、ユーザは、シャフトの所望の位置と方向に結合部材１００を結合させることができる。
【００２６】
第１結合部材１１０の内側面には、第１結合部材１１０がパターのシャフトで任意に回転することを防止する摩擦部材（図示せず）をさらに含み得る。ここで、摩擦部材（図示せず）はゴム材質から形成され得る。
【００２７】
ガイド光放出装置２００は、上下方向に長く形成された円筒形状であって、第２結合部材１２０に形成された開放空間に着脱自在に結合可能である。また、ガイド光放出装置２００は、ハウジング部２１０、ボタン２１２、バッテリー部２２０、発光部２３０、レンズ部２７０から構成される。
【００２８】
ハウジング部２１０は、ガイド光放出装置２００の外形を形成し、第１直径を有するヘッド部２１１、及び第１直径より小さい第２直径を有する本体部２１３から構成される。ここで、ヘッド部２１１は、本体部２１３に対して回転可能な構造であってもよい。ヘッド部２１１が本体部２１３に対して回転することで、ガイド光の方向を調整することができる。
【００２９】
ヘッド部２１１には、ガイド光放出装置２００の動作を制御するためのボタン２１２が外側に形成される。ここで、ボタン２１２は、ガイド光放出装置２００の電源をターンオン（ＯＮ）またはターンオフ（ＯＦＦ）する役割を果たすことができる。また、ボタン２１２は、ユーザから発光モードを選択する命令の入力を受ける役割を果たすこともできる。ここで、発光モードは、ガイド光放出装置２００で提供するモードであって、一字型発光モード、十字型発光モード、ポイント発光モードなどがあり得、具体的な発光モードについての例示は後述する。
【００３０】
ガイド光放出装置２００が第２結合部材１２０に収容されると、ガイド光放出装置２００の本体部２１３が第２結合部材１２０に組み入れられ、ヘッド部２１１が係止部材の役割を果たすようになる。このとき、ガイド光放出装置２００は、第２結合部材１２０内で回転することができる。すなわち、ガイド光放出装置２００は、第２結合部材１２０の内側に組み入れられて垂直軸を中心に回転することができる。
【００３１】
したがって、ユーザは、ガイド光放出装置２００を第２結合部材１２０に結合した状態で、ガイド光放出装置２００を垂直軸を中心に回転させることができる。これによって、ユーザは、ガイド光が地面に所望の角度で放出されない場合、第２結合部材１２０の内部に組み入れられたガイド光放出装置２００を垂直軸を中心に回転させることで、ガイド光を正確に位置させることができる。
【００３２】
また、本体部２１３の外側または第２結合部材１２０の内側には弾性部材（図示せず）をさらに設けてもよい。これによって、使用時に発生し得る振動または衝撃によってガイド光放出装置２００が第２結合部材１２０の内側で任意に回転することを防止することができる。
【００３３】
以下、バッテリー部２２０、発光部２３０、レンズ部２７０について説明する。
図３をさらに参照してバッテリー部２２０、発光部２３０、レンズ部２７０及び追加的な内部構成について具体的に説明する。
図３は、本発明の一実施形態によるガイド光放出装置２００を示したブロック図である。
ガイド光放出装置２００は、バッテリー部２２０、発光部２３０、レンズ部２７０、通信部２４０、保存部２５０、撮影部２６０から構成される。
【００３４】
バッテリー部２２０は、ハウジング部２１０の内側に位置し、ガイド光放出装置２００の動作のための電源を供給することができる。すなわち、バッテリー部２２０は、ボタン２１２と発光部２３０との間に位置し、発光部２３０、通信部２４０、保存部２５０、撮影部２６０などの動作のための電源を供給することができる。
【００３５】
また、バッテリー部２２０は、直並列で連結された複数のバッテリーセル（図示せず）を含んでもよい。バッテリーセル（図示せず）は、ニッケル−カドミウム電池（ｎｉｋｅｌ−ｃａｄｍｉｕｍ ｂａｔｔｅｒｙ）、鉛蓄電池、ニッケル−水素電池（ＮｉＭＨ：ｎｉｃｋｅｌ ｍｅｔａｌ ｈｙｄｒｉｄｅ ｂａｔｔｅｒｙ）、リチウムイオン電池（ｌｉｔｈｉｕｍ ｉｏｎ ｂａｔｔｅｒｙ）、リチウムポリマー電池（ｌｉｔｈｉｕｍ ｐｏｌｙｍｅｒ ｂａｔｔｅｒｙ）などの充放電可能な二次電池であり得る。
【００３６】
発光部２３０は、本体部２１３の内側に位置し、バッテリー部２２０から供給された電源によってパッティングに役立つガイド光を放出することができる。ここで、ガイド光は、ゴルフボールの進行方向を知らせる役割を果たすことができる。すなわち、ガイド光は、ゴルフボールの予想経路を知らせることができる。また、ガイド光は、パッティング動作の際、ゴルファーの姿勢を矯正する役割を果たすことができる。すなわち、パッティング動作中にゴルファーの姿勢が崩れるか又は頭が揺れる場合、ガイド光も揺れることになる。これによって、ゴルファーはガイド光の揺れ程度を確認して姿勢を矯正することができる。
【００３７】
また、発光部２３０は、発光モードに合わせて異なるガイド光を放出することができる。ここで、発光モードは、一字型発光モード、十字型発光モード、ポイント発光モードのうち一つであり得る。
【００３８】
これについては、発光モードの具体的な例を示した図４及び図５を参照して説明する。
図４は、本発明の一実施形態によるガイド光放出装置２００のポイント発光モードを示した例示図である。
図５は、本発明の一実施形態によるガイド光放出装置２００の十字型発光モードを示した例示図である。
【００３９】
図４を参照すると、発光モードがポイント発光モードである場合、発光部２３０は、（ａ）のようなガイド光を放出することができる。すなわち、ポイント発光モードである場合、発光部２３０は、連続する点の形態でガイド光を放出することができる。また、図示していないが、一字型発光モードである場合は、発光部２３０は、連続する直線状のガイド光を放出することができる。
【００４０】
そして、図５を参照すると、発光モードが十字型発光モードである場合、発光部２３０は、（ｂ）のようなガイド光を放出することができる。すなわち、十字型発光モードである場合、発光部２３０は、パターのヘッドに隣接するように十字形状を表示するガイド光を放出することができる。すなわち、十字型発光モードにおいて、ガイド光は、ホールカップに向かって形成された第１ライン、及び前記第１ラインに垂直に形成された第２ラインを含む。この場合、ゴルファーは、パッティング過程で、パターヘッド面が第１ラインに直交した状態でゴルフボールを打撃するか否か、及びパターヘッド面が第２ラインに平行な状態でゴルフボールを打撃するか否かを確認することで、パターヘッドがゴルフボールを正確に打撃するか否かを確認することができる。
一方、上述した発光モードは、一例に過ぎず、本発明は追加的な発光モードをさらに含んでもよい。
【００４１】
図３を再度参照すると、発光部２３０は、制御命令に基づいてガイド光の色相を変更することができる。このとき、ガイド光の色相はグリーンの補色に変更されることが望ましい。補色とは、色相環で互いに対向する位置の色を意味する。また、ユーザが補色の範囲を予め設定してもよい。
例えば、グリーンの色が緑色である場合、発光部２３０は、ガイド光の色相を緑色の補色である紫色に変更することができる。
ガイド光の色相をグリーンの補色に変更することで、より鮮明なガイド光をユーザに提供することができる。
【００４２】
通信部２４０は、ユーザのモバイル機器または周辺機器と有無線通信する役割を果たすことができる。ここで、周辺機器は、ノートパソコン、タブレットパソコンなどであり得る。
【００４３】
例えば、通信部２４０は、撮影した映像をモバイル機器または周辺機器と送受信することができる。また、通信部２４０は、モバイル機器または機器から制御命令を受信することもできる。ここで、制御命令は発光モードを選択する制御命令であり得る。
【００４４】
他の例として、通信部２４０は、周辺機器またはモバイル機器からゴルフクラブの諸元を受信でき、ゴルフコース周辺の天気情報を周辺機器、モバイル機器または気象庁サーバーから受信することもできる。
【００４５】
このような通信部２４０は、近距離通信網（ＬＡＮ：Ｌｏｃａｌ Ａｒｅａ Ｎｅｔｗｏｒｋ）及びインターネット網を介して無線または有線方式で通信する有／無線通信モジュール、ＵＳＢ（Ｕｎｉｖｅｒｓａｌ Ｓｅｒｉａｌ Ｂｕｓ）ポートを通じて通信するＵＳＢインタフェースモジュール、３Ｇ（３ｒｄ Ｇｅｎｅｒａｔｉｏｎ）、３ＧＰＰ（３ｒｄ Ｇｅｎｅｒａｔｉｏｎ Ｐａｒｔｎｅｒｓｈｉｐ Ｐｒｏｊｅｃｔ）、ＬＴＥ（Ｌｏｎｇ Ｔｅｒｍ Ｅｖｏｌｏｕｔｉｏｎ）などのような多様な移動通信規格に従って移動通信網に接続して通信する移動通信モジュール、Ｗｉ−Ｆｉ、ブルートゥース（登録商標）（ｂｌｕｅｔｏｏｔｈ）などのような近距離無線通信モジュールで具現することができる。
【００４６】
保存部２５０は、通信部２４０が受信した情報またはデータを保存する役割を果たすことができる。ここで、受信した情報またはデータは、パターまたはゴルフクラブの諸元、ゴルフコースに関する情報、またはゴルフコース周辺の天気情報などであり得る。パターまたはゴルフクラブの諸元には弾性またはロフト角が含まれ、ゴルフコースに関する情報には各コースの地面の角度または芝の状態などが含まれ得る。また、周辺の天気情報には、風または気温などの情報が含まれ得る。
【００４７】
また、保存部２５０は、撮影部２６０で撮影した映像を保存する役割を果たすこともできる。ここで、保存部２５０は、ＲＡＭ（Ｒａｎｄｏｍ Ａｃｃｅｓｓ Ｍｅｍｏｒｙ）、フレッシュメモリ、ＲＯＭ（Ｒｅａｄ Ｏｎｌｙ Ｍｅｍｏｒｙ）、ＳＲＡＭ（Ｓｔａｔｉｃ ＲＡＭ）、ＥＰＲＯＭ（Ｅｒａｓａｂｌｅ Ｐｒｏｇｒａｍｍａｂｌｅ ＲＯＭ）、ＥＥＰＲＯＭ（Ｅｌｅｃｔｒｏｎｉｃａｌｌｙ Ｅｒａｓａｂｌｅａｎｄ Ｐｒｏｇｒａｍｍａｂｌｅ ＲＯＭ）、レジスタ、ハードディスク、リムーバブルディスク、メモリカード、磁気メモリ、光ディスクなどのような内蔵型記録素子は勿論、ＵＳＢメモリなどのような着脱可能な形態の記録素子のうち少なくとも一つのタイプの保存媒体からも具現できる。
【００４８】
撮影部２６０は、ゴルフパッティング用映像を撮影する役割を果たすことができる。また、撮影部２６０によって撮影されたゴルフパッティング用映像は、通信部２４０を通じてモバイル機器または周辺機器に伝送することができる。また、撮影部２６０は、ユーザの制御命令に従ってゴルフパッティング用映像を撮影することができる。ここで、撮影部２６０は、地面に向かって設けられ、地面に形成されたガイド光及びパターヘッドの動きを含むゴルフパッティング用動画を生成することができる。
【００４９】
このようなゴルフパッティング用映像は、ゴルファーのパッティング矯正に有用に用いることができる。具体的に、ゴルフパッティング用映像には、ガイド光及びパターヘッドが含まれるため、ゴルファーは、該当映像を確認することで、パターヘッドがゴルフボールを正確に打撃するか否かを確認してパッティング姿勢を矯正することができる。一例として、ガイド光が一字型光である場合、ゴルファーは該当映像からパターヘッド面がガイド光に垂直を成した状態でゴルフボールを打撃するか否かを確認してパッティング姿勢を矯正することができる。
【００５０】
また、ゴルファーは、撮影されたゴルフパッティング用映像を通じてゴルフボールがガイド光に沿って移動するか否かを確認することができ、パッティングに役立つ効果がある。
【００５１】
レンズ部２７０は、発光部２３０に隣接して位置し、ガイド光を屈折させる役割を果たすことができる。具体的に、レンズ部２７０は、発光部２３０から放出したガイド光が広く広がるように屈折させることができる。ここで、レンズ部２７０は、凸レンズまたは凹レンズを用いることができ、望ましくは凹レンズを用いる。
【００５２】
また、レンズ部２７０は、レンズの角度を調節可能な角度調節部材（図示せず）をさらに含むことができる。レンズ部２７０は、レンズの角度を調節することで、ガイド光が広がる屈折程度を調節することができる。
制御部２８０は、ガイド光放出装置２００の内部構成の全般的な動作を制御する役割を果たすことができる。
【００５３】
具体的に、制御部２８０は、ユーザの入力に従って一字型発光モード、十字型発光モード、ポイント発光モードのうち一つの発光モードを選択することができる。そして、制御部２８０は、選択された発光モードに対応するガイド光が放出されるように、発光部２３０を制御することができる。
【００５４】
また、制御部２８０は、ゴルフパター用補助装置と地面との間の距離を判断し、判断されたゴルフパター用補助装置と地面との間の距離に合わせてガイド光のラインの長さが調節されるように、発光部２３０またはレンズ部２７０を制御することができる。また、制御部２８０は、ゴルフパター用補助装置と地面との間の距離に合わせてガイド光のラインの長さが比例または反比例するように、発光部２３０またはレンズ部２７０を制御することができる。
【００５５】
例えば、ゴルフパター用補助装置と地面との間の距離が遠くなる場合、制御部２８０は発光部２３０を制御することで、ガイド光の長さが長くなるように制御することができる。また、ゴルフパター用補助装置と地面との間の距離が遠くなる場合、制御部２８０はレンズ部２７０の角度調節部材（図示せず）を制御することで、ガイド光の長さが長くなるように制御することもできる。
【００５６】
また、制御部２８０は、パッティング時にゴルフクラブが動いてもガイド光の長さ及び位置が変わらないように、発光部２３０またはレンズ部２７０を制御することができる。
【００５７】
これについては、図６を参照して具体的に説明する。
図６は、本発明の一実施形態によるガイド光放出装置を示した例示図である。
【００５８】
図６を参照すると、スイングによってゴルフクラブが（ａ）から（ｂ）に動く場合、ガイド光の長さ及びガイド光の位置が変わり得る。このとき、制御部２８０は、ジャイロセンサ、加速度センサなどのようにモーションを感知するモーション感知センサの測定値を用いてゴルフクラブの動きを感知し、ゴルフクラブの位置変化量を検出することができる。そして、制御部２８０は、検出された位置変化量に基づいて発光部２３０またはレンズ部２７０を制御することで、一定の長さまたは位置にガイド光が提供されるように制御することができる。
これによって、制御部２８０は、ゴルフクラブが動く場合であっても、一定の長さ及び位置のガイド光をユーザに提供することができる。
【００５９】
図３を再度参照すると、ゴルフパター用補助装置１０が地面または水平面と成す角度が所定角度以下になる場合、制御部２８０は、ユーザがゴルフパター用補助装置１０を使用していないと判断し、ゴルフパター用補助装置１０が節電待機モード（ｐｏｗｅｒ ｏｎ ｓｕｓｐｅｎｄ）に切り換わるように制御することができる。ここで、所定角度は、０度〜１０度範囲の角度であり得、所定角度の範囲は、ユーザの設定によって変わり得る。
【００６０】
また、制御部２８０は、ゴルフパター用補助装置１０が所定時間動かない場合、制御部２８０は、ユーザがゴルフパター用補助装置１０を使用していないと判断し、ゴルフパター用補助装置１０が節電待機モードに切り換わるように制御することができる。ここで、所定時間は、望ましくは１０分であり、ユーザの設定によって変わり得る。
【００６１】
また、制御部２８０は、ガイド光に距離が一緒に表示されるように発光部２３０を制御することができる。ここで、距離とは、ホールから離れた距離を意味する。
【００６２】
これについては、図７を参照してより具体的に説明する。
図７は、本発明の一実施形態によるガイド光放出装置を示した例示図である。
【００６３】
図７を参照すると、制御部２８０は、ガイド光の側面にホールと離れた距離が表示されるように、発光部２３０を制御することができる。ここで、ガイド光に表示される距離は所定の間隔で示され得る。本例示では２０ｃｍの間隔で示されたが、所定の間隔はユーザの制御によって自在に示され得る。また、制御部２８０は、離れた距離だけでなく、ガイド光と一緒にパッティングに必要な情報を放出するように発光部２３０を制御することができる。ここで、パッティングに必要な情報は、地面の角度、風の方向または風の強さなどであり得る。すなわち、制御部２８０は、ホールまで距離、地面の角度、風の方向及び風の強さのうち少なくとも一つ以上をガイド光とともに放出するように発光部２３０を制御することができる。
【００６４】
本発明によれば、ガイド光に距離を一緒に表示することで、ユーザはゴルフボールとホールとの距離を直観的に把握することができる。また、本発明はガイド光とパッティングに必要な情報とを一緒に表示することで、ユーザのパッティングに役立つという長所がある。
【００６５】
図３を再度参照すると、制御部２８０は、撮影部２６０で撮影したゴルフパッティング用映像に対応するスローモーション映像を生成することができる。また、制御部２８０は、生成されたスローモーション映像が保存部２５０に保存されるように制御でき、生成されたスローモーション映像が通信部２４０を通じてモバイル機器または周辺機器に伝送されるように制御することもできる。このような本発明によれば、ゴルファーは、スローモーション映像を通じてパッティング過程におけるゴルファーの問題点をより正確に診断することができる。
【００６６】
また、制御部２８０は、保存されたパターの諸元に基づいてガイド光の方向及びラインの長さが調節されるように、発光部２３０を制御することができる。ここで、パターの諸元には、パターの弾性、ロフト角またはライ角などのゴルフボールの進行に影響を及ぼすあらゆる諸元が含まれ得る。ここで、ロフト角とは、地面から垂直を成す線とフェイス面（ゴルフボールが当接する面）との夾角を意味し、ライ角とは、ヘッドを地面に置いたとき、地面とシャフトとが成す角度を意味する。
【００６７】
具体的には、パターの諸元のうち、弾性が高いか又はロフト角が大きいほど、飛距離が長くなる。したがって、制御部２８０は、保存されたパターの諸元に含まれた弾性またはロフト角が大きいほどガイド光のラインが長くなるように発光部２３０を制御することができる。
【００６８】
また、パターの諸元のうち、ライ角はゴルフボールの方向性に影響を与え、ゴルフボールからホールを眺める方向を基準にして、ライ角が大きい場合は左側に、ライ角が小さい場合は右側に曲がるようになる。したがって、制御部２８０は、保存されたパターの諸元に含まれたライ角に基づいてガイド光の方向が調節されるように、発光部２３０を制御することができる。
一方、本発明では、パターの諸元のみについて言及したが、これに限定されず、他の種類のゴルフクラブの諸元も用いられ得る。
【００６９】
また、制御部２８０は、保存されたゴルフコースに関する情報または受信したゴルフコースに関する情報に基づいてガイド光の方向及びラインの長さが調節されるように、発光部２３０を制御することができる。すなわち、制御部２８０は、地面の角度または芝の状態などを考慮してガイド光の方向及びラインの長さが調節されるように、発光部２３０を制御することができる。例えば、地面が左側に傾いているコースである場合、制御部２８０は左側に曲がるガイド光を放出するように発光部２３０を制御することができる。
【００７０】
また、制御部２８０は、保存された周辺の天気情報または受信した周辺の天気情報に基づいてガイド光の方向及びラインの長さが調節されるように、発光部２３０を制御することができる。すなわち、制御部２８０は、風の方向または気温などの周辺の天気情報を考慮してガイド光の方向及びラインの長さが調節されるように、発光部２３０を制御することができる。例えば、ゴルフボールからホールを眺める方向を基準にして風が右側に吹く場合、制御部２８０は、ホールを眺める方向を基準にして左側に曲がるガイド光が放出されるように、発光部２３０を制御することができる。
【００７１】
以下、制御部の発光部２３０の制御について、図８を参照して説明する。
図８は、本発明の一実施形態によるガイド光放出装置を示した例示図である。
【００７２】
図８を参照すると、一般的な場合、制御部２８０は、（ａ）のようにガイド光がゴルフボールからホール３０１まで直線になるように発光部２３０を制御することができる。ここで、一般的な場合とは、周辺の天気情報、コースに関する情報、またはゴルフクラブの諸元がゴルフボールの進行方向に影響を及ぼさない場合を意味する。
【００７３】
また、制御部２８０は、周辺の天気情報、コースに関する情報及びゴルフクラブの諸元のうち少なくとも一つ以上を考慮して、ゴルフボールの進行方向に対応するガイド光が放出されるように、発光部２３０を制御することができる。例えば、制御部２８０は、周辺の天気情報、コースに関する情報及びゴルフクラブの諸元のうち少なくとも一つ以上を考慮して、図８の（ｂ）または（ｃ）のように、曲がったガイド光が放出されるように、発光部２３０を制御することができる。本発明は、周辺の天気情報、コースに関する情報及びゴルフクラブの諸元のうち少なくとも一つ以上を考慮したガイド光を提供することで、ユーザがより容易にゴルフボールの進行方向を分かるという長所がある。また、多くの条件を考慮することで、より正確なガイド光をユーザに提供することができる。
【００７４】
一方、本発明は、周辺の天気情報、コースに関する情報及びゴルフクラブの諸元のうち少なくとも一つ以上を考慮してゴルフボールの予想経路を案内するガイド光を提供することで、パッティングに役立つことができる。
【００７５】
一方、明細書及び特許請求の範囲に「第１」、「第２」、「第３」及び「第４」などの用語がある場合は、類似の構成要素同士を区分するために使用されたものであり、必ずしもそうではないが、特定の順次または発生順序を表すために使用されたものである。それとともに使用される用語は、ここに記載された本発明の実施形態が、例えば、ここに図示または説明されたものではない他のシーケンスで動作できるように適切な環境下で互換可能であることが理解できるであろう。同様に、方法が一連の段階を含むと記載される場合、ここに提示された段階の順序は必ずしもそのような段階が実行可能な順序ではなく、任意の記載された段階は省略可能であるか、または、ここに記載されていない任意の他の段階がその方法に付加可能であろう。
【００７６】
また、明細書及び特許請求の範囲の「左側」、「右側」、「前」、「後」、「上部」、「底」、「上に」、「下に」などの用語は、説明のために使用されるものであり、必ず不変の相対的位置を示すものではない。それとともに使用される用語は、ここに記載された本発明の実施形態が、例えば、ここに図示または説明されたものではない他の方向で動作できるように適切な環境下で互換可能であることが理解できるであろう。ここで使われた用語「連結された」は、電気的または非電気的方式で直接または間接的に接続されることとして定義される。ここで、互いに「隣接する」と記載された対象は、その表現が使用される文脈に対して適切に、互いに物理的に接触するか、互いに近接するか、または、互いに同じ一般的範囲または領域にあるものであり得る。ここで、「一実施形態において」との記載の存在は、必ずしもそうではないが、同じ実施形態を意味する。
【００７７】
また、明細書及び特許請求の範囲において、「連結される」、「連結する」、「締結される」、「締結する」、「結合される」、「結合する」など及びこれら表現の多様な変形表現は、他の構成要素と直接的に連結されるか又は他の構成要素を介して間接的に連結されることを含む意味で使用される。
【００７８】
また、本明細書で使用される構成要素に対する接尾表現「モジュール」及び「部」は、明細書作成の容易性を考慮して付与又は混用されたものであって、それ自体で相互区別される意味または役割を有するものではない。
【００７９】
また、本明細書で使われた用語は、実施形態を説明するためのものに過ぎず、本発明を制限するものではない。本明細書において、単数の表現は、特に言及しない限り、複数の形態も含む。明細書で使用される「含む（ｃｏｍｐｒｉｓｅ、ｃｏｍｐｒｉｓｉｎｇ）」は言及された構成要素、段階、動作及び／または素子が一つ以上の他の構成要素、段階、動作及び／または素子の存在または追加を排除しないことを意味する。
【００８０】
以上の説明は、本発明の技術思想を例示的に説明したものに過ぎず、本発明が属する技術分野で通常の知識を持つ者であれば、本発明の本質的な特性から逸脱しない範囲内で多様な修正、変更及び置換が可能であろう。
【００８１】
したがって、本発明に開示された実施形態及び添付された図面は、本発明の技術思想を限定するためのものではなく説明するためのものであり、このような実施形態及び添付された図面によって本発明の技術思想の範囲が限定されることはない。本発明の保護範囲は、添付された特許請求の範囲によって解釈されねばならず、それと同等な範囲内にあるすべての技術思想は本発明の権利範囲に含まれると解釈されるべきであることは言うまでもない。
【産業上の利用可能性】
【００８２】
本発明は、ゴルフ産業分野に用いることができる。
【図１】
2021512760.tif 000003
【図２】
2021512760.tif 000004
【図３】
2021512760.tif 000005
【図４】
2021512760.tif 000006
【図５】
2021512760.tif 000007
【図６】
2021512760.tif 000008
【図７】
2021512760.tif 000009
【図８】
2021512760.tif 000010
【国際調査報告】
2021512760.tif 000011
2021512760.tif 000012
2021512760.tif 000013
2021512760.tif 000014